(57)【要約】【課題】  この発明は、注ぎ口内部に仕切りや空気穴のある飲料用瓶において、液体流出部や空気穴の位置関係を視覚によらず容易に認識するための印を有する注ぎ口や飲料用瓶に関するものである。【解決手段】注ぎ口（２）の内側に、仕切り（３）や空気穴（４）を有する飲料用瓶や注ぎ口の外面に、形状による印（１０）を設ける事により、液体流出部（５）や空気穴（４）の位置関係を視覚によらず容易に認識する事が出来る。【選択図】  図１
2006232391.tif 000002
【特許請求の範囲】
【請求項１】
飲料用瓶の注ぎ口で、注ぎ口（２）の内側に、注ぎ口（２）の内側の空間を液体流出部（５）と空気流入部（６）に分割する仕切り（３）を有し、仕切り（３）は注ぎ口（２）とつながり一体となっており、仕切り（３）によって分割された注ぎ口（２）の内側の空間は、注ぎ口（２）の開口面では液体流出部（５）側でも空気流入部（６）側でも瓶の外方向へ向かって開放されており、仕切り（３）は空気流入部（６）側で瓶中へ向かって注ぎ口（２）の内壁とつながり袋状になって閉じており、空気流入部（６）が上方に液体流出部（５）が下方になるように瓶を横に倒した時、仕切り（３）の上部に来る位置に空気穴（４）を有する注ぎ口がある。この様な注ぎ口やこの様な注ぎ口を有する飲料用瓶において、開栓前後にかかわり無く液体流出部（５）と空気穴（４）の位置関係を明示する為、これらの瓶や注ぎ口の外形形状の一部が他の部分と異なる事による形状による印（９）を有する飲料用瓶及び注ぎ口。
【請求項２】
請求項１の飲料用瓶及び注ぎ口（２）で、瓶や注ぎ口の外面の凹凸による印を形状による印（９）として有する事を特徴とする飲料用瓶及び注ぎ口。
【請求項３】
請求項１の飲料用瓶及び注ぎ口（２）で、瓶や注ぎ口の外面の点字による表示を形状による印（９）として有する事を特徴とする飲料用瓶及び注ぎ口。
【発明の詳細な説明】
【発明の詳細な説明】
【技術分野】
【０００１】        本発明は飲料用瓶の注ぎ口において、注ぎ口の内側に空気穴の開いた仕切りを設ける事により、瓶中の液体の流出部と、瓶中への空気流入部を、仕切りによって分離した構造を持つ注ぎ口あるいはその注ぎ口を有する瓶の外面に、瓶の開栓前後にかかわり無く、視覚に頼らず、唇を当てる位置や空気穴と液体流出部の位置関係を認識するための瓶や注ぎ口の外形形状による印を設けた飲料用瓶や注ぎ口に関するものである。
【背景技術】
【０００２】        飲料用瓶の注ぎ口に関する特許第３５２０４４８号にあるように、瓶の注ぎ口内部に仕切りと空気穴が設けられ、それ以前の市販の飲料用瓶に比べ、飲み易さや飲む際の見た目の美しさ、移動する車内での飲み易さ、容器への注ぎ易さなどの点で優れた進歩が見られた。しかし、それと同時に、これまでは飲料用瓶から飲む際に、注ぎ口のどちら側を上方にして瓶を傾けても同じように飲む事が出来たが、仕切りや空気穴を有する注ぎ口の飲料用瓶で飲む際は、常に空気穴が上方へ来るようにして瓶を傾ける必要が生じるようになった。しかし、注ぎ口内部に仕切りと空気穴を有する飲料用瓶の外面に空気穴の位置や液体流出部の位置を示す為の印をつける発明はこれまでには無かった。
これまでの合成樹脂容器に刻印や点字を施す発明には次の様なものがある。
Ｐ２００２−８３６１１の請求項５には、合成樹脂容器を廃棄の為に折り曲げるための押し潰し方向を示す刻印についての記載がある。さらに特願平１１−９３３１６には、同様に押し潰し順序の番号と操作内容とを刻印した表示を付した押し潰し可能なプラスチックボトルについての記載がある。またＰ２０００−１６１８８９には、内容物の種類や用途を外観を損なう事なく点字で表示する点字の表示状態の改善を目的とした発明がある。また、Ｐ２００２−２２９７７では、成形金型の痕跡を点字を形成する配列で分布させたインモールドラベルについての記載があり、ラベル表面に出来る突起状の吸引跡を点字を形成する配列にする事で、突起による不具合を解消しようというもので、その際内容物の用途や商品等の表示を行う。さらに、Ｐ２０００−３５４４９３には、外観及び質感の両面より他の容器と識別できる商品識別機能を高める為の合成樹脂容器についての記載がある。これらの目的は合成樹脂容器の廃棄処理の減容率を高める事、点字の表示状態の改善、吸引孔の痕跡を装飾に有効に利用する事や容器の商品識別機能を高める事であり、飲料用瓶を傾ける際の上下方向や空気穴の位置を示すものでは無かった。
【発明が解決しようとする課題】
【０００３】        通常、視覚障害の無い人にとっては、飲料用瓶の液体流出部や空気穴の位置を目視により認識して飲む事はなんら問題にならないが、視覚障害者にとっては、瓶のどの位置に液体流出部や空気穴があるのかを確認するには手指で注ぎ口内部に触れるか、一度注ぎ口に口をつけて液体流出部や空気穴の位置を確認しないと、空気穴が必ず上方に来るように瓶を傾けることは出来なかった。また暗中で瓶から飲もうとする際も同様であり、視覚によらない他の方法で唇を当てる位置や空気穴の位置を容易に認識できるようにする必要が生じた。本発明は、瓶の開栓前から、また開栓後であっても、視覚障害者や暗中にいる人であっても、視覚に頼らずに容易に唇を当てる位置や瓶を傾ける際どちらを上方にしたら良いかを認識できるようにするために発明された。
【課題を解決するための手段】
【０００４】      飲料用瓶あるいは注ぎ口（２）の瓶や注ぎ口（２）の外形形状による印（９）は飲料用瓶あるいは注ぎ口（２）を成形する段階で作ることが出来る。そのために成形用の金型製作の段階で、金型に必要な形状や凹凸や点字の凹凸を作っておく事が出来る。また、飲料用瓶や注ぎ口の形成後に凹凸のあるシールやラベル等を貼り付けることも出来る。形状による印（９）は、瓶や注ぎ口（２）の空気穴（４）のある側面に、瓶や注ぎ口の他の部分と異なる形状を施す事により、あるいは液体流出部（５）の側に他の部分と異なる形状を施す事により、あるいは、どちらを上方にしたら良いかを示す形状による印を瓶や注ぎ口の外側面に施す事により、空気穴と液体流出部の位置関係を明示できる。
また、凹凸による印の形状としては、ドーム型、直線や矢印や星形の凹凸、模様や文字のレリーフ等、空気穴と液体流出部の位置関係やどちらを上方にして瓶を傾ければよいかを示すものであればどの様なものでもよい。
いずれにしても、これらの形状による印は、あくまでも空気穴と液体流出部の位置関係を示し、瓶を傾ける際にどちらを上方にして瓶を傾けたり唇を付けたら良いかを示すためのものであって、他の商品との商品識別や、デザイン上の美しさを目的としたものではない。
【発明を実施するための最良の形態】
【０００５】      本発明の実施形態について説明すると、図１、図２、図３は飲料用瓶の外面の空気穴（４）の側に凸印（９）がある例である。図４、図５は螺合により瓶の注ぎ口（７）に取り付けられた注ぎ口（２）の空気穴（４）のある外側面に凸印（９）がある例である。図６は嵌合により瓶の注ぎ口（７）に取り付けられた注ぎ口（２）の空気穴（４）のある外側面に凹印（９）がある例である。これらの例では、飲料用瓶あるいは注ぎ口の外面にある印（９）に手指で触れて空気穴（４）の位置を確認し、空気穴が上方に来るように瓶を傾けて飲料を飲んだり注いだりする事が出来る。図７は瓶の注ぎ口方向から見た本発明の一例の正面図である。瓶の胴部が略円柱形の瓶で、液体流出部（５）のある一方の側面だけ平面になっている。図８は瓶の注ぎ口方向から見た本発明の一例の正面図である。瓶を立てた時の瓶の胴部の水平断面は略正方形であり、液体流出部（５）のある外側面だけ曲面になっている。これらの例では瓶の外形形状による印（９）により液体流出部（５）の位置を確認して液体流出部（５）が下方に来るように瓶を傾けて飲んだり注いだり出来る。図９は着脱式の注ぎ口（２）で、空気穴（４）がある方向の外側面だけ形状による印（９）として平面を有している例である。図１０は注ぎ口（２）の外周面の他の部分が円形で空気穴のある外側の一部のみ平坦になり、形状による印（９）となっている例である。図１１は瓶を空気穴が上方になるように横向きにした本発明の平面図であるが、注ぎ口方向から見た胴部の垂直断面が略正方形であり、空気穴のある側の側面に連続する凹凸による印（９）がある例である。図１２は図９の注ぎ口（２）の平面部に点字による表示がある例である。これらの例では注ぎ口あるいは瓶の外面の印（９）に触れて、これらの印（９）によって空気穴（４）の位置を認識し、空気穴（４）が上方に来るように瓶を傾けて飲んだり注いだり出来る。また、図１２の例は注ぎ口（２）の外面に点字による表示がある例だが、注ぎ口ではなく飲料用瓶の外面に同様に点字を施す事も出来る。ここに挙げた例は空気穴（４）や液体流出部（５）の位置を示す為に、それらのある外側面に印（９）がある例であるが、他にもどちらを上方にして瓶を傾けたらよいかを示す為に空気穴のある側でも液体流出部のある側でもない側面に空気穴（４）のある方向に矢の向いた矢印による凹凸を付け、その矢印の向いている方向を上方にして瓶を傾け飲料を飲んだり注いだりする事も出来る。なお、その矢印による凹凸は瓶や注ぎ口の両側にも片側にも付ける事が出来、その数は単数個から多数個まで数は自由に決定する事が出来る。
さらに注ぎ口（２）が嵌合又は螺合されている飲料用瓶において、形状による印（９）は注ぎ口の外面のみに付けることも、飲料用瓶の本体外面のみに付ける事も、注ぎ口と飲料用瓶の本体外面の両方に同時に付ける事もできる。
【発明の効果】
【０００６】    本発明による印を備えることにより、注ぎ口内部に仕切りと空気穴のある飲料用瓶で飲んだり、容器に注ぐ際、視覚障害があっても容易に瓶の空気穴と液体流出部の位置関係を認識して、瓶から飲んだり容器に注ぐことが出来る。
暗い場所でも、手触りでいずれを上方にして瓶を傾けるかを確認して容易に飲むことが出来る。
ほかの作業をしながらでも、ボトルに触れ、視覚に頼らず、瓶の空気穴と液体流出部の位置関係を認識して、瓶から飲んだり、容器に注ぐことが出来る。
【図面の簡単な説明】
【図１】本発明の斜視図
【図２】本発明の正面図
【図３】図２の断面ＡＡの断面図
【図４】本発明の正面図
【図５】図４の断面ＢＢの断面図
【図６】本発明の断面図
【図７】本発明の正面図
【図８】本発明の正面図
【図９】本発明の斜視図
【図１０】本発明の斜視図
【図１１】本発明の平面図
【図１２】本発明の斜視図
【符号の説明】
１は瓶本体
２は注ぎ口
３は仕切り
４は空気穴
５は液体流出部
６は空気流入部
７は瓶の注ぎ口
８は取り付け部
９は印
【図１】
2006232391.tif 000003
【図２】
2006232391.tif 000004
【図３】
2006232391.tif 000005
【図４】
2006232391.tif 000006
【図５】
2006232391.tif 000007
【図６】
2006232391.tif 000008
【図７】
2006232391.tif 000009
【図８】
2006232391.tif 000010
【図９】
2006232391.tif 000011
【図１０】
2006232391.tif 000012
【図１１】
2006232391.tif 000013
【図１２】
2006232391.tif 000014